(57)【要約】【課題】一対の保持器部材の組み込み性を向上することができると共に、一対の保持器部材の嵌合を外れにくくすることができるスラストころ軸受を提供する。【解決手段】スラストころ軸受１０は、円環部１５ａ（１５ｂ）の内周側から軸方向に突出する内周側フランジ部１６ａ（１６ｂ）と、円環部１５ａ（１５ｂ）の外周側から軸方向に突出する外周側フランジ部１７ａ（１７ｂ）と、を有し、保持器１４を構成する一対の保持器部材１４ａ（１４ｂ）を備え、一方の保持器部材１４ａの外周側フランジ部１７ａの内周面に凸部１９ａを設けると共に、他方の保持器部材１４ｂの外周側フランジ部１７ｂの外周面に凸部１９ａに係合する凹部１９ｂを設ける。【選択図】図１
2007205521.tif 000002
【特許請求の範囲】
【請求項１】
軸方向に互いに対向する一対の軌道輪と、前記一対の軌道輪の間にその軸線を径方向に向けた状態で放射状に配設される複数のころと、一対の保持器部材を互いに軸方向に嵌合して構成されると共に、前記複数のころを周方向に転動可能に保持するポケット部を有する保持器と、を備え、
前記保持器部材は、円環部と、前記円環部の内周側から軸方向に突出する内周側フランジ部と、前記円環部の外周側から軸方向に突出する外周側フランジ部と、を有し、
前記一対の保持器部材の一方の保持器部材の外周側フランジ部及び内周側フランジ部に、他方の保持器部材の外周側フランジ部及び内周側フランジ部を嵌合して組み込むことにより、前記保持器を構成するスラストころ軸受であって、
前記一方の保持器部材の前記外周側フランジ部及び前記内周側フランジ部の少なくとも一方の周面に、第１凸部又は第１凹部を設けると共に、
前記他方の保持器部材の前記外周側フランジ部及び前記内周側フランジ部の前記第１凸部又は前記第１凹部に対向する周面に、前記第１凸部又は前記第１凹部に係合する第２凹部又は第２凸部を設けることを特徴とするスラストころ軸受。
【発明の詳細な説明】
【技術分野】
【０００１】
本発明は、スラストころ軸受に関し、例えば、自動車のトランスミッションやトルクコンバータ等の回転支持部に用いられるスラストころ軸受に関する。
【背景技術】
【０００２】
従来のこの種のスラストころ軸受としては、例えば、図３に示すスラストころ軸受１が知られている。このスラストころ軸受１は、軸方向に互いに対向する一対の軌道輪２，３と、この一対の軌道輪２，３の間にその軸線を径方向に向けた状態で放射状に配設された複数のころ４と、この複数のころ４を周方向に転動可能に保持する保持器５と、を備えている（例えば、特許文献１参照）。
【０００３】
保持器５は、環状の金属板等からなる一対の保持器部材５ａ，５ｂを互いに軸方向に嵌合して構成される。保持器部材５ａは、円環部６ａと、この円環部６ａの内周側から軸方向に突出する内周側フランジ部７ａと、円環部６ａの外周側から軸方向に突出する外周側フランジ部８ａと、を有している。保持器部材５ｂも同様に、円環部６ｂと、この円環部６ｂの内周側から軸方向に突出する内周側フランジ部７ｂと、円環部６ｂの外周側から軸方向に突出する外周側フランジ部８ｂと、を有している。また、各保持器部材５ａ，５ｂには、各ころ４をその軸線を径方向に向けた状態で転動可能に保持するポケット部９が周方向に等間隔で複数箇所形成されている。
【０００４】
そして、一方の保持器部材５ａの内周側フランジ部７ａの外周面と外周側フランジ部８ａの内周面とに、他方の保持器部材５ｂの内周側フランジ部７ｂの内周面と外周側フランジ部８ｂの外周面とを、それぞれ嵌合して組み込むことにより保持器５が構成される。また、それぞれの保持器部材５ａ，５ｂのポケット部９によって形成される空間に各ころ４が転動可能に組み込まれる。
【０００５】
【特許文献１】特開２０００−２６６０４３号公報
【発明の開示】
【発明が解決しようとする課題】
【０００６】
しかしながら、上記特許文献１に記載のスラストころ軸受１においては、一方の保持器部材５ａの内周側フランジ部７ａの外周面及び外周側フランジ部８ａの内周面と、他方の保持器部材５ｂの内周側フランジ部７ｂの内周面及び外周側フランジ部８ｂの外周面と、がそれぞれ軸方向に略面一な平面状に形成されるため、一方の保持器部材５ａと他方の保持器部材５ｂとを嵌合する際の組み込み性が良好ではなかった。また、製造上の都合により、一対の保持器部材５ａ，５ｂの嵌合部分の寸法誤差が大きいと、保持器部材５ａと保持器部材５ｂとの嵌合が外れ易くなる場合があった。
【０００７】
本発明は、このような不都合を解消するためになされたものであり、その目的は、一対の保持器部材の組み込み性を向上することができると共に、一対の保持器部材の嵌合を外れにくくすることができるスラストころ軸受を提供することにある。
【課題を解決するための手段】
【０００８】
本発明の上記目的は、下記の構成により達成される。
（１）  軸方向に互いに対向する一対の軌道輪と、一対の軌道輪の間にその軸線を径方向に向けた状態で放射状に配設される複数のころと、一対の保持器部材を互いに軸方向に嵌合して構成されると共に、複数のころを周方向に転動可能に保持するポケット部を有する保持器と、を備え、保持器部材は、円環部と、円環部の内周側から軸方向に突出する内周側フランジ部と、円環部の外周側から軸方向に突出する外周側フランジ部と、を有し、一対の保持器部材の一方の保持器部材の外周側フランジ部及び内周側フランジ部に、他方の保持器部材の外周側フランジ部及び内周側フランジ部を嵌合して組み込むことにより、保持器を構成するスラストころ軸受であって、一方の保持器部材の外周側フランジ部及び内周側フランジ部の少なくとも一方の周面に、第１凸部又は第１凹部を設けると共に、他方の保持器部材の外周側フランジ部及び内周側フランジ部の第１凸部又は第１凹部に対向する周面に、第１凸部又は第１凹部に係合する第２凹部又は第２凸部を設けることを特徴とするスラストころ軸受。
【発明の効果】
【０００９】
本発明のスラストころ軸受によれば、一方の保持器部材の外周側フランジ部及び内周側フランジ部の少なくとも一方の周面に、第１凸部又は第１凹部を設けると共に、他方の保持器部材の外周側フランジ部及び内周側フランジ部の第１凸部又は第１凹部に対向する周面に、第１凸部又は第１凹部に係合する第２凹部又は第２凸部を設けるため、一対の保持器部材の組み込み性を向上することができると共に、一対の保持器部材の嵌合を外れにくくすることができる。
【発明を実施するための最良の形態】
【００１０】
以下、本発明に係るスラストころ軸受の各実施形態について、図面を参照して詳細に説明する。
【００１１】
（第１実施形態）
まず、図１を参照して、本発明に係るスラストころ軸受の第１実施形態について説明する。
図１は本発明に係るスラストころ軸受の第１実施形態を説明するための要部拡大断面図である。
【００１２】
本実施形態のスラストころ軸受１０は、図１に示すように、軸方向に互いに対向する一対の軌道輪１１，１２と、この一対の軌道輪１１，１２の間にその軸線を径方向に向けた状態で放射状に配設される複数のころ１３と、この複数のころ１３を周方向に転動可能に保持する保持器１４と、を備える。
【００１３】
保持器１４は、環状の金属板等からなる一対の保持器部材１４ａ，１４ｂを互いに軸方向に嵌合して構成される。一方の保持器部材１４ａは、円環部１５ａと、この円環部１５ａの内周側から軸方向に突出する内周側フランジ部１６ａと、円環部１５ａの外周側から軸方向に突出する外周側フランジ部１７ａと、を有している。他方の保持器部材１４ｂは、円環部１５ｂと、この円環部１５ｂの内周側から軸方向に突出して保持器部材１４ａ側の内周側フランジ部１６ａの外周面に嵌合される内周側フランジ部１６ｂと、円環部１５ｂの外周側から軸方向に突出して保持器部材１４ａ側の外周側フランジ部１７ａの内周面に嵌合される外周側フランジ部１７ｂと、を有している。
【００１４】
また、各保持器部材１４ａ，１４ｂには、各ころ１３をその軸線を径方向に向けた状態で転動可能に保持するポケット部１８が周方向に等間隔で複数箇所形成されている。
【００１５】
ここで、本実施形態では、保持器部材１４ａの外周側フランジ部１７ａの内周面に径方向内方にアーチ形状に突出する凸部（第１凸部）１９ａを周方向に沿って設けると共に、保持器部材１４ｂの外周側フランジ部１７ｂの外周面に凸部１９ａが係合する凹部（第２凹部）１９ｂを周方向に沿って設けている。なお、凸部１９ａが凹部１９ｂに係合する際には、凹部１９ｂ側の外周側フランジ部１７ｂ及び凸部１９ａ側の外周側フランジ部１７ａが弾性変形する。
【００１６】
そして、一方の保持器部材１４ａの内周側フランジ部１６ａの外周面と外周側フランジ部１７ａの内周面との間に、それぞれ他方の保持器部材１４ｂの内周側フランジ部１６ｂの内周面と外周側フランジ部１７ｂの外周面とを嵌合することにより、保持器部材１４ａの外周側フランジ部１７ａの内周面に設けた凸部１９ａが保持器部材１４ｂの外周側フランジ部１７ｂの外周面に設けた凹部１９ｂに係合した状態で一対の保持器部材１４ａ，１４ｂが組み込まれて、保持器１４が構成される。また、それぞれの保持器部材１４ａ，１４ｂのポケット部１８によって形成される空間に各ころ１３が転動可能に組み込まれる。
【００１７】
このように構成されたスラストころ軸受１０では、図１に示すように、保持器部材１４ａの外周側フランジ部１７ａの内周面に凸部１９ａを設けると共に、保持器部材１４ｂの外周側フランジ部１７ｂの外周面に凸部１９ａが係合する凹部１９ｂを設けることによって、保持器部材１４ｂの外周側フランジ部１７ｂの先端部の外径をφＤ１、保持器部材１４ａの外周側フランジ部１７ａの先端部の内径をφＤ２、保持器部材１４ａの外周側フランジ部１７ａの凸部１９ａの最小内径をφＤ３とすると、φＤ２＞φＤ１、且つφＤ１＞φＤ３の関係が成立するように寸法が設定される。
【００１８】
従って、本実施形態のスラストころ軸受１０によれば、一方の保持器部材１４ａの外周側フランジ部１７ａの内周面に凸部１９ａを設けると共に、他方の保持器部材１４ｂの外周側フランジ部１７ｂの外周面に凸部１９ａに係合する凹部１９ｂを設けるため、外周側フランジ部１７ａの先端部の内径φＤ２が、外周側フランジ部１７ｂの先端部の外径φＤ１より大きくなるので、一対の保持器部材１４ａ，１４ｂの組み込み性を向上することができる。
【００１９】
また、本実施形態のスラストころ軸受１０によれば、一方の保持器部材１４ａの外周側フランジ部１７ａの内周面に凸部１９ａを設けると共に、他方の保持器部材１４ｂの外周側フランジ部１７ｂの外周面に凸部１９ａに係合する凹部１９ｂを設けるため、外周側フランジ部１７ｂの先端部の外径φＤ１が、外周側フランジ部１７ａの凸部１９ａの最小内径φＤ３より大きくなるので、一対の保持器部材１４ａ，１４ｂの嵌合を外れにくくすることができる。また、一対の保持器部材１４ａ，１４ｂの嵌合が外れにくいことにより、寸法精度を従来の軸受より下げることが可能となるので、軸受１０の製造コストを削減することができる。
【００２０】
また、本実施形態のスラストころ軸受１０によれば、一方の保持器部材１４ａの外周側フランジ部１７ａの内周面に凸部１９ａを設けると共に、他方の保持器部材１４ｂの外周側フランジ部１７ｂの外周面に凸部１９ａに係合する凹部１９ｂを設けるため、一対の保持器部材１４ａ，１４ｂ同士の嵌合が外れないようにするための加締加工をする必要がないので、軸受１０の製造コストを削減することができる。
【００２１】
（第２実施形態）
次に、図２を参照して、本発明に係るスラストころ軸受の第２実施形態について説明する。なお、第１実施形態と同一又は同等部分については、図面に同一符号を付してその説明を省略或いは簡略化する。
図２は本発明に係るスラストころ軸受の第２実施形態を説明するための要部拡大断面図である。
【００２２】
本実施形態のスラストころ軸受２０は、図２に示すように、保持器部材１４ａの外周側フランジ部１７ａの内周面に径方向外方にアーチ形状に凹陥する凹部（第１凹部）２９ａを周方向に沿って設けると共に、保持器部材１４ｂの外周側フランジ部１７ｂの外周面に凹部２９ａが係合する凸部（第２凸部）２９ｂを周方向に沿って設けている。なお、凹部２９ａが凸部２９ｂに係合する際には、凸部２９ｂ側の外周側フランジ部１７ｂ及び凹部２９ａ側の外周側フランジ部１７ａが弾性変形する。
【００２３】
そして、一方の保持器部材１４ａの内周側フランジ部１６ａの外周面と外周側フランジ部１７ａの内周面との間に、それぞれ他方の保持器部材１４ｂの内周側フランジ部１６ｂの内周面と外周側フランジ部１７ｂの外周面とを嵌合することにより、保持器部材１４ａの外周側フランジ部１７ａの内周面に設けた凹部２９ａが保持器部材１４ｂの外周側フランジ部１７ｂの外周面に設けた凸部２９ｂに係合した状態で一対の保持器部材１４ａ，１４ｂが組み込まれて、保持器１４が構成される。
【００２４】
このように構成されたスラストころ軸受２０では、図２に示すように、保持器部材１４ａの外周側フランジ部１７ａの内周面に凹部２９ａを設けると共に、保持器部材１４ｂの外周側フランジ部１７ｂの外周面に凹部２９ａが係合する凸部２９ｂを設けることによって、保持器部材１４ｂの外周側フランジ部１７ｂの先端部の外径をφＤ１、保持器部材１４ａの外周側フランジ部１７ａの先端部の内径をφＤ２、外周側フランジ部１７ｂの凸部２９ｂの最大外径をφＤ４とすると、φＤ２＞φＤ１、且つφＤ４＞φＤ２の関係が成立するように寸法が設定される。
【００２５】
従って、本実施形態のスラストころ軸受２０によれば、一方の保持器部材１４ａの外周側フランジ部１７ａの内周面に凹部２９ａを設けると共に、他方の保持器部材１４ｂの外周側フランジ部１７ｂの外周面に凹部２９ａが係合する凸部２９ｂを設けるため、外周側フランジ部１７ａの先端部の内径φＤ２が、外周側フランジ部１７ｂの先端部の外径φＤ１より大きくなるので、一対の保持器部材１４ａ，１４ｂの組み込み性を向上することができる。
【００２６】
また、本実施形態のスラストころ軸受２０によれば、一方の保持器部材１４ａの外周側フランジ部１７ａの内周面に凹部２９ａを設けると共に、他方の保持器部材１４ｂの外周側フランジ部１７ｂの外周面に凹部２９ａが係合する凸部２９ｂを設けるため、外周側フランジ部１７ａの先端部の内径φＤ２が、外周側フランジ部１７ｂの凸部２９ｂの最大外径φＤ４より小さくなるので、一対の保持器部材１４ａ，１４ｂの嵌合を外れにくくすることができる。
その他の構成及び作用効果については、上記第１実施形態と同様である。
【００２７】
なお、本発明は、前述した各実施形態に限定されるものではなく、適宜、変形、改良等が可能である。
例えば、上記各実施形態では、保持器部材１４ａの外周側フランジ部１７ａと保持器部材１４ｂの外周側フランジ部１７ｂとの間に凹凸係合部を設けた場合を例示したが、これに代えて、保持器部材１４ａの内周側フランジ部１６ａと保持器部材１４ｂの内周側フランジ部１６ｂとの間に凹凸係合部を設けてもよい。また、保持器部材１４ａの外周側フランジ部１７ａと保持器部材１４ｂの外周側フランジ部１７ｂとの間、及び保持器部材１４ａの内周側フランジ部１６ａと保持器部材１４ｂの内周側フランジ部１６ｂとの間の両方にそれぞれ凹凸係合部を設けるようにしてもよい。  
また、上記各実施形態では、保持器部材１４ａの外周側フランジ部１７ａに凸部１９ａ（又は凹部２９ａ）を加工すると共に、保持器部材１４ｂの外周側フランジ部１７ｂに凹部１９ｂ（又は凸部２９ｂ）を加工した後に、一対の保持器部材１４ａ，１４ｂを組み込む場合を例示したが、必ずしもこのようにする必要はなく、凸部１９ａ（又は凹部２９ａ）及び凹部１９ｂ（又は凸部２９ｂ）を加工する前に、一対の保持器部材１４ａ，１４ｂを組み込み、組み込み後に、凸部１９ａ（又は凹部２９ａ）及び凹部１９ｂ（又は凸部２９ｂ）を形成するようにしてもよい。
【図面の簡単な説明】
【００２８】
【図１】本発明に係るスラストころ軸受の第１実施形態を説明するための要部拡大断面図である。
【図２】本発明に係るスラストころ軸受の第２実施形態を説明するための要部拡大断面図である。
【図３】従来のスラストころ軸受を説明するための要部拡大断面図である。
【符号の説明】
【００２９】
１０，２０        スラストころ軸受
１１，１２        軌道輪
１３              ころ
１４              保持器
１４ａ，１４ｂ    保持器部材
１５ａ，１５ｂ    円環部
１６ａ，１６ｂ    内周側フランジ部
１７ａ，１７ｂ    外周側フランジ部
１８              ポケット部
１９ａ            凸部（第１凸部）
１９ｂ            凹部（第２凹部）
２９ａ            凹部（第１凹部）
２９ｂ            凸部（第２凸部）
【図１】
2007205521.tif 000003
【図２】
2007205521.tif 000004
【図３】
2007205521.tif 000005